(57)【要約】【課題】ユーザが一定地域で開催されるイベント情報を的確に把握でき、車両をイベント開催地まで容易に案内すること。【解決手段】現在地から所定範囲内の地域で開催されるイベントに関するイベント情報に基づき、イベント会場への案内を支援するナビゲーション装置１において、位置情報取得手段３，４と、時刻情報取得手段３，４と、イベント情報データベース５ａと、イベント情報を抽出するイベント情報抽出手段２と、イベントの開催中にイベントの会場に到着できるか否かを判定する判定手段２と、イベント開催中にイベント会場に到着可能であると判定された場合、イベント情報に、開催期間内にイベント会場に到着できる旨の内容を付し、イベント開催中に到着できないと判定された場合、イベント情報に、開催期間内にイベント会場に到着できない旨の内容を付し、イベント情報を表示手段１１に表示するように制御する制御手段２とを備えていることを特徴とする。【選択図】図１
2011027640.tif 000002
【特許請求の範囲】
【請求項１】
現在地から所定範囲内の地域で開催されるイベントに関するイベント情報に基づき、イベント会場への案内を支援するナビゲーション装置において、
現在地を示す位置情報を取得する位置情報取得手段と、
現在時刻情報を取得する時刻情報取得手段と、
上記イベント情報が格納されるイベント情報データベースと、
上記位置情報取得手段によって取得された上記位置情報および上記時刻情報取得手段によって取得された上記現在時刻情報に基づいて、現在地から所定範囲内の地域で開催される上記イベント情報を上記イベント情報データベースの中から抽出するイベント情報抽出手段と、
上記位置情報取得手段によって取得された位置情報および上記時刻情報取得手段によって取得された上記現在時刻情報と、上記イベント情報抽出手段によって抽出された上記イベント情報に基づいて、上記イベントの開催中に上記イベントの会場に到着できるか否かを判定する判定手段と、
上記判定手段によって、上記イベント開催中に上記イベント会場に到着可能であると判定された場合、上記イベント情報に、開催期間内に上記イベント会場に到着できる旨の内容を付して、上記イベント情報を表示手段に表示し、上記イベント開催中に到着できないと判定された場合、上記イベント情報に、開催期間内に上記イベント会場に到着できない旨の内容を付して、上記イベント情報を上記表示手段に表示するように制御する制御手段と、
を備えていることを特徴とするナビゲーション装置。
【請求項２】
請求項１記載のナビゲーション装置において、
前記イベント情報は、前記イベントの開催地、開催時間および開催期間を含んでおり、少なくとも、前記イベントの開催地、開催時間および開催期間が出力されるように構成されていることを特徴とするナビゲーション装置。
【請求項３】
請求項１または２記載のナビゲーション装置において、
さらに、地図に関する情報である地図情報を格納する地図情報データベースを備え、
前記イベント情報に基づいて、前記イベントの開催中に前記イベント会場に到着できると判定された場合、前記イベント情報に対応する前記イベント会場が通過点または目的地となるように、上記地図情報に基づいて案内を行うことを特徴とするナビゲーション装置。
【請求項４】
請求項１または２記載のナビゲーション装置において、
さらに、地図に関する情報である地図情報を格納する地図情報データベースと、交通情報を受信可能な受信部と、を備え、
前記イベント情報に基づいて、前記イベントの開催中に前記イベント会場に到着できると判定された場合、上記受信部によって受信された前記イベント会場付近での渋滞情報および上記地図情報に基づいて当該渋滞を回避するルートで案内することを特徴とするナビゲーション装置。
【請求項５】
請求項１から４のいずれか１項記載のナビゲーション装置において、
さらに、情報を記憶可能な記憶部を備え、
指定した前記イベント情報を上記記憶部に格納することが可能であると共に、指定された前記イベント情報に対応するイベントの開催日時の所定期間前になると、前記イベントのイベント情報が出力されることを特徴とするナビゲーション装置。
【請求項６】
請求項１から５のいずれか１項記載のナビゲーション装置において、
さらに、前記イベント情報を音声によって出力する音声出力手段を備えていることを特徴とするナビゲーション装置。
【請求項７】
現在地から所定範囲内の地域で開催されるイベントに関するイベント情報に基づき、イベント会場への案内を支援するナビゲーションシステムにおいて、
上記イベント情報が格納されるイベント情報データベースを有するサーバと、
上記サーバから送信される上記イベント情報を受信するナビゲーション装置と、
を備え、
上記ナビゲーション装置は、
現在地を示す位置情報を取得する位置情報取得手段と、
現在時刻情報を取得する時刻情報取得手段と、
上記位置情報取得手段によって取得された上記位置情報および上記時刻情報取得手段によって取得された上記現在時刻情報を上記サーバに送信し、当該送信された上記位置情報および上記現在時刻情報に基づいて、現在地から所定範囲内の地域で開催される上記イベント情報を上記サーバから選択するイベント情報選択手段と、
上記位置情報取得手段によって取得された上記位置情報および上記時刻情報取得手段によって取得された上記現在時刻情報と、上記イベント情報選択手段によって選択された上記イベント情報に基づいて、上記イベントの開催中に上記イベントの会場に到着できるか否かを判定し、
上記イベント開催中に上記イベント会場に到着可能であると判定された場合、上記イベント情報に、開催期間内に上記イベント会場に到着できる旨の内容を付して、上記イベント情報を出力し、上記イベント開催中に到着できないと判定された場合、上記イベント情報に、開催期間内に上記イベント会場に到着できない旨の内容を付して、上記イベント情報を出力するように制御する制御手段と、
を備えていることを特徴とするナビゲーションシステム。
【請求項８】
現在地から所定範囲内の地域で開催されるイベントに関するイベント情報に基づき、イベント会場への案内を支援するナビゲーション方法において、
位置情報取得手段から現在地を示す位置情報を取得し、時刻情報取得手段から現在時刻情報を取得し、
上記位置情報および上記現在時刻情報に基づいて、現在地から所定範囲内の地域で開催される上記イベント情報を上記イベント情報データベースの中から抽出し、
上記位置情報および上記現在時刻情報と、上記抽出された上記イベント情報に基づいて、上記イベントの開催中に上記イベントの会場に到着できるか否かを判定し、
上記イベント開催中に上記イベント会場に到着可能であると判定された場合、上記イベント情報に、開催期間内に上記イベント会場に到着できる旨の内容を付して、上記イベント情報を出力し、上記イベント開催中に到着できないと判定された場合、上記イベント情報に、開催期間内に上記イベント会場に到着できない旨の内容を付して、上記イベント情報を出力することを特徴とするナビゲーション方法。
【発明の詳細な説明】
【技術分野】
【０００１】
本発明は、ナビゲーション装置、ナビゲーションシステムおよびナビゲーション方法に関する。
【背景技術】
【０００２】
一般的に、車載用のナビゲーション装置は、複数のＧＰＳ（Global Positioning Systems）衛星から送信される信号を受信して自車の現在位置を検出するとともに、各種センサにより検出される自車に関する情報およびナビゲーション装置の記録装置に記録されている地図情報に基づいて、自車の現在位置と地図上の道路とをマッチング（マップマッチング）させ、自車の目的地までの案内（ナビゲーション）を実行する。
【０００３】
特許文献１には、走行中の車両の周辺地域におけるイベント情報を取得し、当該イベント情報に基づいて、車両をイベント開催地まで案内するナビゲーション装置が開示されている。この技術では、データベースや外部サーバから車両の周辺地域で開催されるイベント情報を取得し、当該取得されたイベント情報を表示手段に表示させることにより、車両のイベント開催地までの走行を支援している。
【先行技術文献】
【特許文献】
【０００４】
【特許文献１】特開２００６―１１９０１２号公報（要約書）
【発明の概要】
【発明が解決しようとする課題】
【０００５】
しかしながら、特許文献１に開示されているナビゲーション装置では、現在時刻がイベントの開始時刻あるいは終了時刻よりも所定時間前になった場合、または、自車位置がイベント開催場所から所定距離以内になった場合に、イベント情報が画面に表示される。このため、ユーザは自車位置からある程度の距離を有する、遠方において開催されるイベント情報を取得することができなくなる。したがって、ユーザは一定地域で開催される全てのイベント情報を把握することができず、ユーザの知り得るイベント情報が制限されてしまうといった問題がある。
【０００６】
本発明は、かかる問題に鑑みてなされたものであり、その目的とするところは、ユーザが一定地域で開催されるイベント情報を的確に把握でき、車両をイベント開催地まで容易に案内することが可能なナビゲーション装置、ナビゲーションシステムおよびナビゲーション方法を提供しようとするものである。
【課題を解決するための手段】
【０００７】
上記課題を解決するために、本発明の一側面は、現在地から所定範囲内の地域で開催されるイベントに関するイベント情報に基づき、イベント会場への案内を支援するナビゲーション装置において、現在地を示す位置情報を取得する位置情報取得手段と、現在時刻情報を取得する時刻情報取得手段と、イベント情報が格納されるイベント情報データベースと、位置情報取得手段によって取得された位置情報および時刻情報取得手段によって取得された現在時刻情報に基づいて、現在地から所定範囲内の地域で開催されるイベント情報をイベント情報データベースの中から抽出するイベント情報抽出手段と、位置情報取得手段によって取得された位置情報および時刻情報取得手段によって取得された現在時刻情報と、イベント情報抽出手段によって抽出されたイベント情報に基づいて、イベントの開催中にイベントの会場に到着できるか否かを判定する判定手段と、判定手段によって、イベント開催中にイベント会場に到着可能であると判定された場合、イベント情報に、開催期間内にイベント会場に到着できる旨の内容を付して、イベント情報を表示手段に表示し、イベント開催中に到着できないと判定された場合、イベント情報に、開催期間内にイベント会場に到着できない旨の内容を付して、イベント情報を表示手段に表示するように制御する制御手段と、を備えているものである。
【０００８】
また、イベント情報は、イベントの開催地、開催時間および開催期間を含んでおり、少なくとも、イベントの開催地、開催時間および開催期間が出力されるように構成されていることが好ましい。
【０００９】
また、地図に関する情報である地図情報を格納する地図情報データベースを備え、イベント情報に基づいて、イベントの開催中にイベント会場に到着できると判定された場合、イベント情報に対応するイベント会場が通過点または目的地となるように、地図情報に基づいて車両を案内することが好ましい。
【００１０】
また、地図に関する情報である地図情報を格納する地図情報データベースと、交通情報を受信可能な受信部と、を備え、イベント情報に基づいて、イベントの開催中にイベント会場に到着できると判定された場合、受信部によって受信されたイベント会場付近での渋滞情報および地図情報に基づいて当該渋滞を回避するルートで案内することが好ましい。
【００１１】
また、情報を記憶可能な記憶部を備え、指定した前記イベント情報を記憶部に格納することが可能であると共に、指定されたイベント情報に対応するイベントの開催日時の所定期間前になると、イベントのイベント情報が出力されることが好ましい。
【００１２】
また、イベント情報を音声によって出力する音声出力手段を備えていることが好ましい。
【００１３】
また、本発明の他の一側面は、現在地から所定範囲内の地域で開催されるイベントに関するイベント情報に基づき、イベント会場への案内を支援するナビゲーションシステムにおいて、イベント情報が格納されるイベント情報データベースを有するサーバと、サーバから送信されるイベント情報を受信するナビゲーション装置と、を備え、ナビゲーション装置は、現在地を示す位置情報を取得する位置情報取得手段と、現在時刻情報を取得する時刻情報取得手段と、位置情報取得手段によって取得された位置情報および時刻情報取得手段によって取得された現在時刻情報をサーバに送信し、当該送信された位置情報および現在時刻情報に基づいて、現在地から所定範囲内の地域で開催されるイベント情報をサーバから選択するイベント情報選択手段と、位置情報取得手段によって取得された位置情報および時刻情報取得手段によって取得された現在時刻情報と、イベント情報選択手段によって選択されたイベント情報に基づいて、イベントの開催中にイベントの会場に到着できるか否かを判定し、イベント開催中にイベント会場に到着可能であると判定された場合、イベント情報に、開催期間内にイベント会場に到着できる旨の内容を付して、イベント情報を出力し、イベント開催中に到着できないと判定された場合、イベント情報に、開催期間内にイベント会場に到着できない旨の内容を付して、イベント情報を出力するように制御する制御手段と、を備えているものである。
【００１４】
さらに、本発明の他の一側面は、現在地から所定範囲内の地域で開催されるイベントに関するイベント情報に基づき、イベント会場への案内を支援するナビゲーション方法において、位置情報取得手段から現在地を示す位置情報を取得し、時刻情報取得手段から現在時刻情報を取得し、位置情報および現在時刻情報に基づいて、現在地から所定範囲内の地域で開催されるイベント情報をイベント情報データベースの中から抽出し、位置情報および現在時刻情報と、抽出されたイベント情報に基づいて、イベントの開催中にイベントの会場に到着できるか否かを判定し、イベント開催中にイベント会場に到着可能であると判定された場合、イベント情報に、開催期間内にイベント会場に到着できる旨の内容を付して、イベント情報を出力し、イベント開催中に到着できないと判定された場合、イベント情報に、開催期間内に上記イベント会場に到着できない旨の内容を付して、イベント情報を出力するものである。
【発明の効果】
【００１５】
本発明によると、ユーザが一定地域で開催されるイベント情報を的確に把握でき、車両をイベント開催地まで容易に案内することが可能となる。
【図面の簡単な説明】
【００１６】
【図１】本発明の第１の実施の形態に係るナビゲーション装置の構成例を示すブロック図である。
【図２】図２は、図１に示すナビゲーション装置において実行される処理の一例を示すフローチャートである。
【図３】イベント情報データベースに格納されているイベント情報の一例を示す図である。
【図４】図１中の表示装置に表示される初期画面の一例を示す図である。
【図５】図１中の表示装置に表示される初期画面においてイベントアイコンを押した場合に表示される画面の一例を示す図であり、「期間内」のイベントの詳細アイコンを選択しようとしている状態を示す図である。
【図６】図５で表示されるイベント名画面において、「期間内」のイベントに関する詳細アイコンを押した場合に表示される画面の一例を示す図である。
【図７】図１中の表示装置に表示される初期画面においてイベントアイコンを押した場合に表示される画面の一例を示す図であり、「期間外」のイベントの詳細アイコンを選択しようとしている状態を示す図である。
【図８】図７で表示される画面において「期間外」のイベントに関する詳細アイコンを押した場合に表示される画面の一例を示す図である。
【図９】図８で表示される画面において登録アイコンを押した場合に表示される画面の一例を示す図であり、イベント詳細アイコンを選択しようとしている状態を示す図である。
【図１０】図９で表示されるイベントの開催日時に関する画面においてイベント詳細アイコンを押した場合に表示される画面の一例を示す図である。
【図１１】図８で表示される画面において登録アイコンを押した場合に表示される画面の一例を示す図であり、非表示アイコンを選択しようとしている状態を示す図である。
【図１２】図１１で表示される画面において非表示アイコンを押した場合に表示される画面の一例を示す図である。
【図１３】本発明の第２の実施の形態に係るナビゲーションシステムの構成例を示すブロック図である。
【図１４】図１３中のナビゲーションシステムにおける情報管理用サーバの構成例を示すブロック図である。
【図１５】図１３に示すナビゲーションシステムにおいて実行される処理の一例を示すフローチャートである。
【発明を実施するための形態】
【００１７】
（第１の実施の形態）
以下、本発明の第１の実施の形態に係るナビゲーション装置１について、図面を参照しながら説明する。なお、ナビゲーション方法についてはナビゲーション装置１の説明と共に行うものとする。
【００１８】
図１は、本発明の第１の実施の形態に係るナビゲーション装置１の構成例を示すブロック図である。本発明の実施の形態に係るナビゲーション装置１は、現在地から一定の範囲で開催されるイベント情報を、後述する表示装置１１に表示し、図示せぬ車両（以下、単に車両という。）をイベント開催地まで案内する装置である。
【００１９】
図１に示すように、本発明の実施の形態に係るナビゲーション装置１は、ＣＰＵ（Central Processing Unit）２、ＧＰＳアンテナ３、ＧＰＳ受信部４、ＨＤＤ（Hard Disk Drive）５、メモリ６、車速検出装置７、ジャイロ装置８、音声出力装置１０、表示装置１１および操作部１２を備えている。
【００２０】
ＣＰＵ２は、ナビゲーション装置１の全体制御を行う制御手段として働くと共に、判定手段としても働く。また、ＣＰＵ２は、ＨＤＤ５またはメモリ６に格納されているプログラムに応じて、各種演算処理を実行する。
【００２１】
ＧＰＳアンテナ３およびＧＰＳ受信部４は、位置情報取得手段および現在時刻情報取得手段として働き、ＧＰＳ衛星１００からの電波を受信して、車両の位置を示す位置情報と現在時刻を示す時刻情報とを取得する。
【００２２】
ＨＤＤ５は、イベント情報データベースとしてのイベント情報ＤＢ５ａ、地図情報データベースとしての地図情報ＤＢ５ｂ、および、制御プログラム５ｃを有する記憶装置である。ここで、イベント情報データベースとしてのイベント情報ＤＢ５ａには、種々のイベント開催会社等（図示しない）から収集されたイベント情報が格納されている。このイベント情報は、ナビゲーション装置１の出荷前にイベント情報ＤＢ５ａに予め格納するようにしても良いし、イベント情報を保持している各地域や企業から通信を介して取得できるようにしても良い。また、ＤＳＲＣ（Dedicated Short-Range Communication）などの路側機を介して各事業体のサーバから取得できるようにしても良い。格納されるイベント情報は、後述するように、開催場所（たとえば、住所と緯度・経度）、開催時刻、終了予定時刻、開催イベント内容等の情報を含む。なお、本明細書において「イベント」とは、例えば、主催者が各種地域で定期的または不定期に行う行事もしくは催しを示すものとする。地図情報データベースとしての地図情報ＤＢ５ｂは、地図を表示するための情報、地図のシンボルを表示するための情報、および、道路を表示するための情報等を有している。制御プログラム５ｃは、ナビゲーション装置１の各部を制御するとともに、ＧＰＳ受信部４等によって取得された位置情報に基づいて、車両の現在地から所定距離の範囲内で開催されるイベントに関するイベント情報をイベント情報ＤＢ５ａから抽出するプログラムである。さらに、必要に応じてイベント開催地までの経路案内処理を実行するプログラムである。
【００２３】
メモリ６は、記憶部として働き、ＲＯＭ（Read Only Memory）および／またはＲＡＭ（Random Access Memory）等の半導体記憶装置によって構成されている。ＲＯＭは、ＣＰＵ２が実行するプログラム等を格納する。ＲＡＭは、ＣＰＵ２が実行する対象となるプログラムまたはデータを一時的に記憶する。また、メモリ６におけるＲＡＭには、たとえば、位置情報および時刻情報と、イベント情報とが記憶される。
【００２４】
車速検出装置７は、車速検出手段として働き、たとえば、車速を検出するための車速センサから構成されており、ＧＰＳ受信部４から受信した車両の位置情報に基づいて、より正確な位置情報を出力する。なお、サイドブレーキが操作されたことを検出するサイドブレーキセンサ等を有する構成としても良い。ジャイロ装置８は、車両が方向転換した場合等において、各制御軸に対する車両の角速度を検出して、ＣＰＵ２に供給する。
【００２５】
音声出力装置１０は、音声出力手段として働き、たとえばスピーカで構成される。そして、音声出力装置１０は、イベント情報等を音声として出力する。表示装置１１は、表示手段として働き、ＬＣＤ（液晶ディスプレイ）等で構成される。操作部１２は、各種操作キーを含み、ユーザが表示装置１１に表示された情報を参照しながら該操作部１２を操作することにより、所定の情報を入力もしくは出力することが可能とされている。
【００２６】
このナビゲーション装置１はＧＰＳアンテナ３およびＧＰＳ受信部４を備えていることから、ＧＰＳ衛星１００からの電波を受信することにより、ナビゲーション装置１を搭載している車両の位置（緯度・経度）および走行方向を示す位置情報を、リアルタイムで取得することができる。さらに、車速検出装置７によって、車両の移動距離を算出することにより、より正確な位置情報をリアルタイムで取得することができる。なお。ビーコン(beacon)やＦＭ多重放送等の通信手段を利用してより正確な位置情報をリアルタイムで取得するようにしても良い。
【００２７】
また、ＣＰＵ２は、ＧＰＳ受信部４等によって取得された位置情報に基づいて、車両の現在地から所定範囲内で開催されるイベントに関するイベント情報をイベント情報ＤＢ５ａから抽出する。抽出したイベント情報データは、メモリ６に一時的に記憶されると共に、表示装置１１により表示される。また、イベント情報データは、音声出力装置１０により音声として再生される。なお、イベント情報は、イベントが開催中または開催間近であるか否かにかかわらず、表示装置１１によって表示され、音声出力装置１０によっても再生される。
【００２８】
次に、ナビゲーション装置１において実行される処理の一例について説明する。図２は、図１に示すナビゲーション装置１において実行される処理の一例を示すフローチャートである。なお、以下のステップＳ３の処理は、ＣＰＵ２がＨＤＤ５に記憶されている制御プログラム５ｃをメモリ６に読み出して実行することにより実現される。
【００２９】
車両のエンジンが始動され、もしくは、車両においてキーをアクセサリ（ＡＣＣ）に入力すると、ナビゲーション装置１に電源の供給が開始される。電源の供給が開始され、操作部１２に含まれるイベント情報収集アイコン（図示しない）の押下等によりナビゲーション装置１における処理が開始される（スタート）。上述したように、操作部１２において操作がなされると、ＣＰＵ２は、まず、位置情報（緯度・経度）を取得する（ステップＳ１）。すなわち、ＣＰＵ２は、予め定められた所定のインターバルにしたがう観測時刻またはサンプリング時刻になると、ＧＰＳ衛星１００からＧＰＳアンテナ３およびＧＰＳ受信部４にて受信したＧＰＳ信号を利用して、ナビゲーション装置１を搭載している車両の現在地の緯度・経度を含む位置情報を取得する。さらに、ＣＰＵ２は、車速検出装置７によって、車両の移動距離を算出することにより、より正確な位置情報を取得し、メモリ６に格納する。なお、操作部１２を操作することなしに、電源の供給が開始されると、ナビゲーション装置１における処理が開始されるような構成としても良い。
【００３０】
次に、ＣＰＵ２は、受信したＧＰＳ信号に含まれる時刻信号も取得し、その時刻に取得された位置情報と関連づけて現在時刻情報としてメモリ６に格納する（ステップＳ２）。次に、イベント情報抽出手段となるＣＰＵ２は、制御プログラム５ｃと協働し、取得された位置情報に基づいて、ＨＤＤ５におけるイベント情報ＤＢ５ａから自車位置を中心として所定距離（たとえば１０ｋｍ）の範囲内で開催されるイベント情報を抽出し、メモリ６に格納する（ステップＳ３）。具体的には、イベント情報の抽出は、イベント開催場所の緯度・経度と車両の現在地の緯度・経度との比較に基づいて両者の距離を算出し、算出された距離が所定距離以内かを判断することにより行われる。なお、ＧＰＳ受信部４がＧＰＳ信号を受信する毎に、新たな位置情報が取得されるため、自車位置の変化に応じてメモリ６には新たなイベント情報が格納される。
【００３１】
次に、判定手段となるＣＰＵ２は、取得された位置情報および現在時刻情報に基づいて、現在時刻が、抽出されたイベント情報のイベント終了予定時刻よりも所定時間（たとえば、１時間）前であるか否かを判定する（ステップＳ４）。すなわち、イベントの開催中に自車位置からイベントの会場に到着できるか否かが判定されることになる。なお、判定手段における判断は、イベント開始予定時刻を基準として行うようにしても良い。なお、ＣＰＵ２は位置情報および現在時刻情報に基づいて、車両のイベント開催地への到着予定時間を算出する。
【００３２】
ここで、判定手段によって、現在時刻がイベント終了予定時刻よりも所定時間前であると判断された場合、判断対象となったイベント情報に、開催期間内にイベント会場に到着できる旨の内容を意味する「期間内」の情報が付加される。一方、判定手段によって、現在時刻がイベント終了予定時刻よりも所定時間前でないと判断された場合、判断対象となったイベント情報に、開催期間内にイベント会場に到着できない旨の内容を意味する「期間外」の情報が付加される（ステップＳ５）。
【００３３】
次に、表示装置１１に後述する初期画面が表示される。加えて、初期画面の内容が音声出力装置１０によって音声メッセージとして再生される（ステップＳ６）。なお、表示装置１１の画面上にはイベントに関する複数のアイコン（タッチパネル）が表示され、ユーザが各種アイコンを押下することによって、画面が順次切り替わる。
【００３４】
ここで、イベント情報の内容について説明する。図３は、イベント情報ＤＢ５ａに格納されているイベント情報の一例を示す図である。図３に示すように、イベント情報は、たとえば、イベント名、開催地、開催日時、開催地までの到着予定時刻、サービス内容、および、問い合わせ先等を有している。ここで、イベント名は、イベントの名称を示す情報である。開催地は、イベントの開催場所を示す情報である。開催日時は、それぞれイベントの開催開始時刻およびイベントが開催されている期間を示す情報である。開催地までの到達予定時刻は、車速検出装置７によって測定された速度で走行した場合、現在の自車位置からイベント開催地に到着される予測時刻を示す情報である。サービス内容は、イベントにおいて受けられるサービスを示す情報である。問い合わせ先は、イベント開催地へ連絡を取るための電話番号を示す情報である。
【００３５】
図４は、表示装置１１に表示される初期画面の一例を示す図である。図５は、表示装置１１に表示される初期画面においてイベントアイコン１３ａを押した場合に表示される画面の一例を示す図であり、「期間内」のイベントの詳細アイコン１４ａを選択しようとしている状態を示す図である。図６は、図５で表示されるイベント名画面において、「期間内」のイベントに関する詳細アイコン１４ａを押した場合に表示される画面の一例を示す図である。図７は、表示装置１１に表示される初期画面においてイベントアイコン１３ａを押した場合に表示される画面の一例を示す図であり、「期間外」のイベントの詳細アイコン１４ｂを選択しようとしている状態を示す図である。図８は、図７で表示される画面において「期間外」のイベントに関する詳細アイコン１４ｂを押した場合に表示される画面の一例を示す図である。
【００３６】
図４に示すように、ステップＳ６における、表示装置１１の初期画面には「ご当地情報」として、たとえば、「イベント」、「お祭り」、「行事」、「キャンペーン」、「グルメ」および「名物」等の目的を選択するための各種選択アイコン１３がタッチパネル式で表示される。
【００３７】
ここで、「イベント」に関するイベントアイコン１３ａが押されると、図５に示すように、自車位置から所定範囲内で開催されるイベント名が一列に表示されたイベント名画面に切り替わる（ステップＳ７）。各イベント名の右側には、上述した「期間内」もしくは「期間外」の表示が付されており、さらに、その右側には、各種イベントに関する詳細情報を表示させるための詳細アイコン１４が設けられている。
【００３８】
次に、図５に示すように、「期間内」のイベントに関する詳細アイコン１４ａが押されると（ステップＳ８：ＹＥＳ）、図６に示すように、期間内に開催される、イベント名、開催地、開催時間、開催期間、開催地までの到着予定時刻、サービス内容、および、問い合わせ先等の情報を含んだ期間内のイベントの詳細な情報が表示される期間内詳細画面に切り替わる（ステップＳ９）。なお、期間内詳細画面に切り替わると、イベント情報が音声出力装置１０によって音声にて出力される。図６に示すように、この期間内詳細画面の下方には、イベント開催地を車両の通過点域として指定するための通過点アイコン１５と、イベント開催地を車両の目的地として指定するための目的地アイコン１６と、イベントの開催によって発生する道路の渋滞を回避した走行を指定するための回避ルートアイコン１７が設けられている。ここで、「ルート」とは、出発地から目的地までの最適な道順を意味するものとする。
【００３９】
通過点アイコン１５が押された場合、ＣＰＵ２が地図情報ＤＢ５ｂから地図情報を読み出し、当該地図情報とメモリ６に格納されている位置情報に基づいて、車両が自車位置から選択されたイベント開催地まで案内される。車両がイベント開催地に到達したら表示装置１１に到達した旨の表示を行うと共に、音声出力装置１０によって到達した旨を音声によって出力させることが好ましい。この場合、イベント開催地は通過点域として指定されているため、車両がイベント開催地に到達すると、その後は、該車両は予め設定された目的地に向かって案内される。
【００４０】
一方、目的地アイコン１６が押された場合、上述の場合と同様、ＣＰＵ２によって地図情報ＤＢ５ｂから読み出された地図情報およびメモリ６に格納されている位置情報に基づいて、車両が自車位置から選択されたイベント開催地まで案内される。この場合、イベント開催地は目的地として指定されているため、車両がイベント開催地に到達すると、ナビゲーション装置１による車両の案内は終了する。
【００４１】
さらに、回避ルートアイコン１７が押された場合、ＣＰＵ２によって地図情報ＤＢ５ｂから読み出された地図情報およびメモリ６に格納されている位置情報に基づいて、自車位置から選択されたイベント開催地までにおける渋滞を回避するルートに従って車両が案内される。渋滞情報は、たとえば、道路交通情報通信システムセンター（ＶＩＣＳセンター）から発信される交通情報を受信部となる不図示のアンテナによって受信することにより取得することができる。渋滞回避のルートは表示装置１１に表示されると共に、音声出力装置１０によって随時情報を音声によって出力させるのが好ましい。この場合、イベント開催地を回避して車両は予め設定された目的地に向かって案内されることとなる。
【００４２】
また、図４〜図６に示す、各画面の右下方には、曲線状の矢印で示された戻りアイコン１８が設けられており、この戻りアイコン１８を押すと、たとえば、期間内詳細画面からイベント名画面に切り替わるように、１つ前に選択された画面に切り替わるように構成されている。
【００４３】
一方、図７に示すように、「期間外」のイベントに関する詳細アイコン１４ｂが選択されると（ステップＳ８：ＮＯ）、図８に示すように、期間外に開催される、イベント名、開催地、開催時間、開催期間、開催地までの到着予定時刻、サービス内容、および、問い合わせ先等の情報を含んだ期間内のイベントの詳細な情報が表示される期間外詳細画面に切り替わる（ステップＳ１０）。また、期間外詳細画面に切り替わると、イベント情報は音声出力装置１０によって音声として再生される。
【００４４】
図９は、図８で表示される画面において登録アイコン１９を押した場合に表示される画面の一例を示す図であり、イベント詳細アイコン２１を選択しようとしている状態を示す図である。図１０は、図９で表示されるイベントの開催日時に関する画面においてイベント詳細アイコン２１を押した場合に表示される画面の一例を示す図である。図１１は、図８で表示される画面において登録アイコン１９を押した場合に表示される画面の一例を示す図であり、非表示アイコン２３を選択しようとしている状態を示す図である。図１２は、図１１で表示される画面において非表示アイコン２３を押した場合に表示される画面の一例を示す図である。
【００４５】
図８に示すように、この期間外詳細画面の下方には、指定されたイベントを再度表示できるようにお気に入りとして登録するための登録アイコン１９が設けられている。この登録アイコン１９が押されると、イベント開催位置が自車位置から所定距離の範囲外となった場合でも、当該イベント情報がメモリ６から削除されることなく、当該メモリ６に格納しておくことができる。このようにイベント情報をお気に入りとして登録しておくと、次回、ナビゲーション装置１に電源の供給が開始された際に、自動的に表示装置１１に登録されたイベントの開催日時が、図９に示すように文章によって表示される。また、当該文章の表示とともに、当該文章が音声出力装置１０によって音声にて出力される。このイベント開催日時の画面の下方には、イベントの詳細を表示させるためのイベント詳細アイコン２１と、次回、ナビゲーション装置１に電源が供給された際に、表示装置１１に当該イベントの開催日時を再度、表示させるための再表示アイコン２２と、次回からナビゲーション装置１に電源が供給された際に、表示装置１１に当該イベントの開催日時を表示させないようにするための非表示アイコン２３とが設けられている。
【００４６】
図９に示すように、イベント開催日時の画面においてイベント詳細アイコン２１が押されると、図１０に示すようなイベントの詳細を示す画面が表示される。このイベントの詳細を示す画面の右下には、目的地設定アイコン２４が設けられており、当該目的地設定アイコン２４が押されると、イベント開催地を目的地としてメモリ６に記憶させることができる。加えて、ＣＰＵ２が地図情報ＤＢ５ｂから地図情報を読み出し、当該地図情報とメモリ６に格納されている位置情報に基づいて、車両が自車位置から指定されているイベント開催地まで案内される。
【００４７】
図９に示す画面において再表示アイコン２２が押されると、上述したように、次回、ナビゲーション装置１に電源が供給された際、表示装置１１に当該イベントの開催日時の表示がなされるように設定される。また、図１１に示すように、イベント開催日時の画面において非表示アイコン２３が押されると、次回、ナビゲーション装置１に電源が供給された際、表示装置１１に当該イベントの開催日時が表示されなくなるような設定がなされる。さらに、図１２に示すように、イベント開催地に行くか否かを選択するための画面が表示される。この画面において、行きアイコン２５が押されると、イベント開催地が目的地としてメモリ６に記憶されると共に、ＣＰＵ２が地図情報ＤＢ５ｂから地図情報を読み出し、当該地図情報とメモリ６に格納されている位置情報に基づいて、車両が自車位置から指定されているイベント開催地まで案内される。一方、行かないアイコン２６が押されると、以後、ナビゲーション装置１に電源が供給された際、表示装置１１に当該イベントの開催日時が表示されなくなるような設定がなされ、初期画面もしくは他の画面が表示される。
【００４８】
以上のように構成されたナビゲーション装置１では、イベント名画面には「期間内」もしくは「期間外」と付された所定地域内で開催されるイベント名が複数表示される。すなわち、ユーザは「期間内」のイベントだけでなく「期間外」のイベントのイベント情報も表示される。このため、ユーザはイベント名画面を見るだけで、イベントが「期間内」であるか「期間外」であるかを容易に把握することができる。したがって、ユーザは開催中のイベントを把握し、車両を開催中のイベント会場に容易にナビゲートさせることが可能となる。また、イベントの詳細画面において、開催地、開催時間、開催期間、開催地までの到着予定時刻、サービス内容、および、問い合わせ先等のイベントに関する詳細な情報を容易に取得することが可能であるため、ユーザはイベントの内容を確実に把握することが可能となる。
【００４９】
また、ナビゲーション装置１は、ＧＰＳ受信部４に加え、車速検出装置７を備えているため、より正確な自車位置を把握することが可能となる。また、車速を検出することによって、イベント会場への到着時刻を正確に予告することが可能となる。
【００５０】
また、ナビゲーション装置１では、選択したイベント会場を目的地へ行く途中の通過点として指定することができると共に、当該イベント会場を最終到着地となる目的地として指定することが可能である。このため、ユーザの用途に合わせてイベント会場へナビゲートすることが可能である。また、イベント会場付近が渋滞しているときは、渋滞を避けたルートにおいて車両をナビゲートできる。このため、ユーザは余分な時間をかけることなく目的地に到着できる。
【００５１】
また、ナビゲーション装置１では、所定距離の範囲外になったイベントのイベント情報をお気に入りに登録しておけば、次回、ナビゲーション装置１に電源が供給された際に、イベント情報を表示装置１１に表示させることが可能となる。このため、ユーザは興味のあるイベントのイベント情報を適宜取得することが可能となる。
【００５２】
また、ナビゲーション装置１では、音声においてイベント情報を出力することができるため、ユーザは車両を運転しながらイベント情報を確実に把握することが可能となる。
【００５３】
（第２の実施の形態）
以下、本発明の第２の実施の形態に係るナビゲーションシステム３０について、図面を参照しながら説明する。また、第２の実施の形態に係るナビゲーションシステム３０において、第１の実施の形態と共通する部分については、同一の符号を付すと共にその説明を省略または簡略化する。
【００５４】
図１３は、本発明の第２の実施の形態に係るナビゲーションシステム３０の構成例を示すブロック図である。図１４は、図１３中のナビゲーションシステム３０における情報管理用サーバ３３ａの構成例を示すブロック図である。
【００５５】
本発明の実施の形態に係るナビゲーションシステム３０は、現在地から一定の範囲で開催されるイベント情報を、後述する情報管理センタ３３から取得し、取得した情報に基づいて、車両をイベント開催地まで案内するシステムである。
【００５６】
ナビゲーションシステム３０は、車両に搭載されたナビゲーション装置３１が、インターネット等の通信網３２を介して情報管理センタ３３との間で通信を行う。情報管理センタ３３は、たとえばＡＳＰ（Application Service Provider）である。ＡＳＰは、近年普及しつつある、インターネット等の広域通信網を使って各種サービスを提供する事業者である。ＡＳＰには、通信網３２に接続された情報管理用サーバとしてＡＳＰサーバ３３ａが備えられている。なお、通信網３２とナビゲーション装置３１との間の通信方式は、イベント情報をナビゲーション装置３１に取り込めれば有線通信もしくは無線通信のどちらでも良い。
【００５７】
上述したように、本実施の形態に係るナビゲーションシステム３０では、ナビゲーション装置３１の外部に備えられるＡＳＰサーバ３３ａからイベント情報を取得する構成とされている。このため、本実施の形態に係るナビゲーション装置３１では、イベント情報ＤＢ３７ｂはＡＳＰサーバ３３ａ側に備えられている。また、ナビゲーションシステム３０には、ＡＳＰサーバ３３ａと通信を行うための通信モジュール３４が備えられている。
【００５８】
具体的には、ナビゲーション装置３１は、図１３に示すように、ＣＰＵ２、ＧＰＳアンテナ３、ＧＰＳ受信部４、地図情報ＤＢ５ｂ、制御プログラム５ｃ、メモリ６、車速検出装置７、ジャイロ装置８、音声出力装置１０、表示装置１１、操作部１２および通信モジュール３４を備えている。
【００５９】
通信モジュール３４は、通信手段として働き、通信網３２を介して情報管理センタ３３と双方向通信を行う。情報管理センタ３３から取得されたイベント情報は、ＧＰＳ受信部４によって取得された位置情報および時刻情報と共に、メモリ６に格納される。また、メモリ６は、ナビゲーション装置３１の識別コードも記憶している。なお、ＣＰＵ２は、ナビゲーション装置３１の全体制御を行う制御手段として働くと共に、判定手段としても働く。また、ＣＰＵ２は、情報管理センタ３３から取得されたイベント情報またはメモリ６に格納されているプログラムに応じて、各種演算処理を実行する。
【００６０】
図１４に示すように、ＡＳＰサーバ３３ａは、通信装置３５、情報処理装置３６および記憶装置３７を含む。
【００６１】
通信装置３５は、通信手段として働き、ルータやＤＳＵ（デジタル回線接続装置）から構成される。情報処理装置３６は、情報管理用サーバ３３ａの全体制御を行う制御手段として働くと共にイベント情報選択手段として働き、図示しない、ＣＰＵ、ＲＡＭおよびＲＯＭを有するコンピュータから構成される。また、情報処理装置３６は、通信装置３５を介してナビゲーション装置３１との通信機能やイベント情報選択処理機能等を実行する。記憶装置３７は、記憶手段として働き、プログラムファイル３７ａおよびイベント情報データベース（ＤＢ）３７ｂが格納されている。
【００６２】
プログラムファイル３７ａは、ナビゲーション装置３１との通信を可能にする通信制御ソフトウエアや、情報処理装置３６における情報処理を行うためのソフトウエアを含む。イベント情報ＤＢ３７ｂには、種々のイベント開催会社等（図示しない）から収集されたイベント情報が格納されている。格納されるイベント情報としては、第１の実施形態の場合と同様、図３に示すように、イベント名、開催地、開催日時、開催地までの到着予定時刻、サービス内容、および、問い合わせ先等が含まれる。
【００６３】
上述したように、ナビゲーションシステム３０は、通信モジュール３４をナビゲーション装置３１に備えることにより、ナビゲーション装置３１を搭載した車両と情報管理センタ３３との間の双方向通信を可能とする。また、ＧＰＳアンテナ３およびＧＰＳ受信部４によってＧＰＳ衛星１００から電波を受信することにより、ナビゲーション装置３１を搭載している車両の位置（緯度・経度）および走行方向を示す位置情報を、リアルタイムで取得して情報管理センタ３３に送信することができる。
【００６４】
情報管理センタ３３のＡＳＰサーバ３３ａでは、イベント情報ＤＢ３７ｂに格納されている種々のイベント情報の中から、ナビゲーション装置３１より送られてきた位置情報に基づき車両の現在地から所定範囲内で開催されるイベントに関するイベント情報を選択し、選択されたイベント情報データをナビゲーション装置３１へ送信する。そして、ナビゲーション装置３１は、情報管理センタ３３のＡＳＰサーバ３３ａから送信された特定のイベント情報を受信して、メモリ６に記憶すると共に、該イベント情報を表示装置１１に出力する。また、イベント情報を音声出力装置１０により音声として再生する。
【００６５】
次に、ナビゲーションシステム３０において実行される処理の一例について説明する。図１５は、図１３に示すナビゲーションシステム３０において実行される処理の一例を示すフローチャートである。
【００６６】
車両のエンジンが始動され、もしくは、車両においてキーをアクセサリ（ＡＣＣ）に入力すると、ナビゲーション装置３１に電源の供給が開始されると、ＣＰＵ２は、位置情報（緯度・経度）を取得する（ステップＳ１１）。さらに、車速検出装置７によって、車両の移動距離を算出することにより、より正確な位置情報が取得され、メモリ６に格納される。
【００６７】
次に、ＣＰＵ２は、受信したＧＰＳ信号に含まれる時刻信号を取得し、その時刻に取得された位置情報と関連づけて現在時刻情報としてメモリ６に格納する（ステップＳ１２）。次に、取得された位置情報および現在時刻情報が、ナビゲーション装置３１の識別コードと共にメモリ６から読み出され、通信モジュール３４からＡＳＰサーバ３３ａ側に送信される（ステップＳ１３）。送信された位置情報、現在時刻情報および識別コードは、通信網３２を介して情報管理センタ３３にて受信される。そして、ＡＳＰサーバ３３ａはイベント情報を適宜、通信モジュール３４に送信する。
【００６８】
次に、ＣＰＵ２は、情報管理センタ３３からイベント情報の受信があったか否を判定する（ステップＳ１４）。イベント情報の受信がなければ（ステップＳ１４：ＮＯ）、処理を終了し、イベント情報の受信があれば(ステップＳ１４：ＹＥＳ)、受信したイベント情報をメモリ６に格納する（ステップＳ１５）。
【００６９】
次に、判定手段となるＣＰＵ２は、取得された位置情報および現在時刻情報に基づいて、現在時刻が、受信されたイベント情報のイベント終了予定時刻よりも所定時間（たとえば、１時間）前であるか否かを判定する（ステップＳ１６）。すなわち、イベントの開催中に自車位置からイベントの会場に到着できるか否かが判定されることになる。
【００７０】
次に、判定手段によって、現在時刻がイベント終了予定時刻よりも所定時間前であると判断された場合、判断対象となったイベント情報に、「期間内」の情報が付加される。一方、判定手段によって、現在時刻がイベント終了予定時刻よりも所定時間前でないと判断された場合、判断対象となったイベント情報に、「期間外」の情報が付加される（ステップＳ１７）。
【００７１】
次に、メモリ６に格納されている所定のイベント情報が表示装置１１に出力され、表示装置１１に初期画面が表示されると共に、音声出力装置１０により音声メッセージが出力される（ステップＳ１８）。
【００７２】
ここで、「イベント」に関するイベントアイコン１３ａが押されると、図５に示すように、自車位置から所定範囲内で開催されるイベント名が一列に表示されたイベント名画面に切り替わる（ステップＳ１９）。第１の実施の形態の場合と同様、各イベント名の右側には、上述した「期間内」もしくは「期間外」の表示が付される。
【００７３】
次に、「期間内」のイベントに関する詳細アイコン１４ａが押されると（ステップＳ２０：ＹＥＳ）、図６に示すように、期間内に開催されるイベントの詳細情報が表示される期間内詳細画面に切り替わる（ステップＳ２１）。一方、図７に示すように、「期間外」のイベントに関する詳細アイコン１４ｂが選択されると（ステップＳ２０：ＮＯ）、図８に示すように、イベントの詳細な情報が表示される期間外詳細画面に切り替わる（ステップＳ２２）。
【００７４】
ステップＳ２１の後の動作は、第１の実施の形態の場合と同様の処理が行われる。すなわち、通過点アイコン１５、目的地アイコン１６もしくは回避ルートアイコン１７を押すことにより車両を目的に応じて案内することができる。また、ステップＳ２２の後の動作も、第１の実施の形態の場合と同様の処理が行われる。すなわち、登録アイコン１９を押してイベント情報をお気に入りとして登録することにより、次回、ナビゲーション装置３１に電源の供給が開始された際、自動的に所定範囲外となったイベントの開催日時を、文章および音声によって出力することができる。
【００７５】
一方、情報管理センタ３３側における処理では、まず、ナビゲーション装置３１から送信される位置情報、現在時刻情報および識別コードが受信されたか否かが判定される（ステップＳ３１）。情報管理センタ３３が、位置情報、現在時刻情報および識別コードを受信したと判定した場合（ステップＳ３１：ＹＥＳ）、当該位置情報、現在時刻情報および識別コードと、記憶装置３７に記憶されているイベント情報とに基づいて、受信された識別コードを持つナビゲーション装置３１の現在地から所定範囲内で開催されるイベント情報が選択される（ステップＳ３２）。一方、情報管理センタ３３が、位置情報、現在時刻情報および識別コードを受信していないと判定した場合（ステップＳ３１：ＮＯ）、処理を終了する。
【００７６】
イベント情報が選択されると、選択されたイベント情報が、通信装置３５から通信網３２を介して、ナビゲーション装置３１に送信される（ステップＳ３３）。ナビゲーション装置３１にイベント情報が送信されると情報管理センタ３３側における処理が終了する。
【００７７】
以上のように構成されたナビゲーションシステム３０では、イベント名画面には「期間内」もしくは「期間外」と付された所定地域内で開催されるイベント名が複数表示される。すなわち、ユーザは「期間内」のイベントだけでなく「期間外」のイベントのイベント情報も表示される。このため、ユーザはイベント名画面を見るだけで、イベントが「期間内」であるか「期間外」であるかを容易に把握することができる。したがって、ユーザは開催中のイベントを把握し、車両を開催中のイベント会場に容易にナビゲートさせることが可能となる。また、イベントの詳細画面において、開催地、開催時間、開催期間、開催地までの到着予定時刻、サービス内容、および、問い合わせ先等のイベントに関する詳細な情報を容易に取得することが可能であるため、ユーザはイベントの内容を確実に把握することが可能となる。
【００７８】
また、ナビゲーションシステム３０では、所定距離の範囲外になったイベントのイベント情報をお気に入りに登録しておけば、次回、ナビゲーション装置３１に電源が供給された際に、イベント情報を表示装置１１に表示させることが可能となる。このため、ユーザは興味のあるイベントのイベント情報を適宜取得することが可能となる。
【００７９】
以上、本発明の各実施の形態について説明したが、本発明は上述の形態に限定されることなく、種々変形した形態にて実施可能である。
【００８０】
上述の各実施の形態において、音声出力装置１０によるイベント情報の音声としての再生を、イベントが開催される地域特有の方言で行うようにしても良い。
【００８１】
また、上述の各実施の形態では、所定範囲内の距離を１０ｋｍとし、イベント終了時刻前の所定時間を１時間としたが、これらの距離や時間に限定されるのもではなく、たとえば、所定距離を５ｋｍとし、所定時間を２時間とするなど、適宜、他の距離や時間に設定できるようにしても良い。
【００８２】
また、上述の各実施の形態では、画面が切り替わると、イベント情報は文字として出力されると共に、音声出力装置１０によって音声として出力されるが、この音声としての出力は、画面の切り替わりと同時に行っても良いし、画面が切り替わり、数秒間経過した後に行うようにしても良い。
【００８３】
また、上述の各実施の形態では、イベント情報をお気に入りに登録しておくと、次回、ナビゲーション装置１，３１に電源の供給が開始された際に、表示装置１１に登録されたイベントの開催日時が出力されるような構成とされているが、このような構成に限定されるものではなく、たとえば、イベントの開催日時が近づいた際に、お気に入りに登録されたイベント情報を文章および音声によって出力するような構成としても良い。このような構成により、いまだ開催されていないイベントの開催時期に近づくと、当該イベントのイベント情報が自動的にユーザに知らされるため、ユーザに対する利便性を高めることが可能となる。
【００８４】
また、上述の各実施の形態では、表示装置１１に、イベント情報として、文字列を表示するようにしたが、たとえば、初期画面における「イベント」や「お祭り」等の各種選択アイコン１３をその目的を示す映像として表示させるようにしても良い。また、文字列と共に映像として表示させるようにしても良い。
【００８５】
また、上述の各実施の形態では、タッチパネル式によってイベント情報を選択するようにしたが、たとえば、リモートコントローラによって選択することも可能である。
【００８６】
また、上述の第１の実施の形態では、イベント情報ＤＢ５ａ、地図情報ＤＢ５ｂ、および、制御プログラム５ｃをＨＤＤ５に格納するようにしたが、これらのすべてまたは一部を他の記録媒体（例えば、ＤＶＤ（Digital Versatile Disc）等）に格納するようにしてもよい。
【００８７】
また、上述の各実施の形態では、初期画面において「イベント」を選択した場合を説明したが、「お祭り」、「行事」、「キャンペーン」、「グルメ」もしくは「名物」等を選択した場合にも、「イベント」を選択した場合と同様の処理が行われるものとする。
【００８８】
また、上述の各実施の形態では、位置情報および現在時刻情報は、ＧＰＳアンテナ３およびＧＰＳ受信部４を介して取得しているが、位置情報および現在時刻情報の受信形態は、ＧＰＳを利用した通信手段に限定されるものではなく、たとえば、５．８ＧＨｚ帯ＤＳＲＣ（Dedicated Short-Range Communication）、空間光通信、赤外線通信、車車間通信システム、路車間通信システム、携帯機を用いた移動体通信システムおよびブルートゥース(Bluetooth)等の他の通信方法を用いても良い。
【符号の説明】
【００８９】
１，３１…ナビゲーション装置  ２…ＣＰＵ（イベント情報抽出手段、判定手段、制御手段）  ３…ＧＰＳアンテナ（位置情報取得手段、時刻情報取得手段）  ４…ＧＰＳ受信部（位置情報取得手段、時刻情報取得手段）  ５ａ…イベント情報ＤＢ（イベント情報データベース）  ６…メモリ（記憶部）  ７…車速検出装置（車速検出手段）  １０…音声出力装置（音声出力手段）  １１…表示装置（表示手段）  ３０…ナビゲーションシステム  ３３ａ…ＡＳＰサーバ（サーバ）  ３６…情報処理装置（イベント情報選択手段）  ３７…イベント情報ＤＢ（イベント情報データベース）
【図１】
2011027640.tif 000003
【図２】
2011027640.tif 000004
【図３】
2011027640.tif 000005
【図４】
2011027640.tif 000006
【図５】
2011027640.tif 000007
【図６】
2011027640.tif 000008
【図７】
2011027640.tif 000009
【図８】
2011027640.tif 000010
【図９】
2011027640.tif 000011
【図１０】
2011027640.tif 000012
【図１１】
2011027640.tif 000013
【図１２】
2011027640.tif 000014
【図１３】
2011027640.tif 000015
【図１４】
2011027640.tif 000016
【図１５】
2011027640.tif 000017